(57)【要約】【課題】複合機のスピーカからの音について、複合機の操作者及びこの装置の近くにいる者のいずれにも配慮することができる複合機を提供する。【解決手段】画像処理装置１である複合機は、第１のスピーカ５５と、第１のスピーカ５５より指向性が強い第２のスピーカ５９と、予め分けられた第１のスピーカ５５を使用する場合と第２のスピーカ５９を使用する場合に応じて、第１のスピーカ５５を使用するか又は第２のスピーカ５９を使用するかを選択するスピーカ選択部（サブＭＰＵ３９、ＲＯＭ４１、ＲＡＭ４３及びスイッチ４９）と、を備える。【選択図】図２
2009188591.tif 000002
【特許請求の範囲】
【請求項１】
コピー、ファクシミリ、スキャナ及びプリンタの少なくとも一つの機能を有する画像処理装置であって、
第１のスピーカと、
前記第１のスピーカより指向性が強い第２のスピーカと、
予め分けられた前記第１のスピーカを使用する場合と前記第２のスピーカを使用する場合に応じて、前記第１のスピーカを使用するか又は前記第２のスピーカを使用するかを選択するスピーカ選択部と、を備える
ことを特徴とする画像処理装置。
【請求項２】
前記画像処理装置は前記第２のスピーカを有する操作パネルを備える
ことを特徴とする請求項１に記載の画像処理装置。
【請求項３】
前記操作パネルは、前記画像処理装置の操作者が前記画像処理装置を操作する位置に応じて角度の変更が可能にされている
ことを特徴とする請求項２に記載の画像処理装置。
【発明の詳細な説明】
【技術分野】
【０００１】
本発明は、例えば複合機のような画像処理装置に関する。
【背景技術】
【０００２】
商品販売用の端末装置には、端末装置にマイクと指向性スピーカを設けて、利用者が端末装置と対話して商品を販売するものがある（例えば特許文献１参照）。この端末装置では、端末装置の右側と左側にそれぞれ指向性スピーカが設けられている。
【０００３】
【特許文献１】特開２０００−１５２２０９号公報（段落００８４、第５図）
【０００４】
複合機のような画像処理装置には、エラー等の異常発生の報知及び音声ガイダンスのためにスピーカを備えるものがある。複合機の操作者にとって音声ガイダンスは便利であるが、複合機の近くにいる者にとって音声ガイダンスは雑音に感じられる。
【発明の開示】
【発明が解決しようとする課題】
【０００５】
本発明の目的は、画像処理装置のスピーカからの音について、画像処理装置の操作者及びこの装置の近くにいる者のいずれにも配慮することができる画像処理装置を提供することである。
【課題を解決するための手段】
【０００６】
本発明は、コピー、ファクシミリ、スキャナ及びプリンタの少なくとも一つの機能を有する画像処理装置であって、第１のスピーカと、前記第１のスピーカより指向性が強い第２のスピーカと、予め分けられた前記第１のスピーカを使用する場合と前記第２のスピーカを使用する場合に応じて、前記第１のスピーカを使用するか又は前記第２のスピーカを使用するかを選択するスピーカ選択部と、を備える。
【０００７】
本発明に係る画像処理装置は、前記第２のスピーカを有する操作パネルを備える、ようにすることができる。
【０００８】
これによれば、指向性の強い第２のスピーカを操作パネルに設けているので、第２のスピーカからの音を画像処理装置の操作者には聞こえやすくできると共に画像処理装置の近くにいる者には聞こえにくく又は聞こえないようにすることができる。
【０００９】
本発明において、前記操作パネルは、前記画像処理装置の操作者が前記画像処理装置を操作する位置に応じて角度の変更が可能にされている、ようにすることができる。
【００１０】
これによれば、第２のスピーカを操作者の方へ向かせることができるので、第２のスピーカからの音を操作者に聞こえやすくすることができる。
【発明の効果】
【００１１】
本発明に係る画像処理装置によれば、第１のスピーカを使用する場合とこのスピーカよりも指向性が強い第２のスピーカを使用する場合が予め分けられており、それらの場合に応じて使用するスピーカを選択している。このように、第１のスピーカとこれよりも指向性が強い第２のスピーカの使用を使い分けることにより、画像処理装置のスピーカからの音について、画像処理装置の操作者及びこの装置の近くにいる者のいずれにも配慮することができる。
【発明を実施するための最良の形態】
【００１２】
本発明の実施形態について図面を用いて説明する。図１は、本実施形態に係る画像処理装置１の構成を示すブロック図である。画像処理装置１は、コピー、ファクシミリ、スキャナ及びプリンタの機能を有する複合機である。
【００１３】
画像処理装置１は、ＭＰＵ(Micro Processing Unit)３、画像読取部５、画像記録部７、表示部９、操作部１１、モデム１３、ＮＣＵ(Network Control Unit)１５、ＲＯＭ(Read Only Memory)１９、ＲＡＭ(Random Access Memory)２１、画像メモリ２３、ハードディスク２５、コーデック２７、ＬＡＮ(Local Area Network)インターフェース２９等が相互にバス３３で接続された構成を有する。ＭＰＵ３は、画像処理装置１を構成する上記ハードウェアを制御すると共に画像処理装置１の動作に必要なソフトウェアを実行する。
【００１４】
画像読取部５は、ＣＣＤ(Charge Coupled Device)等によって画像（文字、図、写真等）を読み取って画像データとして出力する。画像記録部７は、電子写真方式等のプリンタであり、画像読取部５から出力された画像データやファクシミリ通信により受信した別のファクシミリ機からの画像データを画像に戻し、この画像が記録された用紙を出力する。
【００１５】
表示部９は、画像処理装置１の動作状態、各種設定内容等を表示し、ＬＣＤ(Liquid Crystal Display)、ＣＲＴ(Cathode Ray Tube)等で実現される。操作部１１は、画像処理装置１の操作に必要なキー（テンキー、スタートキー、リセットキー、各種のファンクションキー等）を備える。
【００１６】
モデム１３は、通常のファクシミリ通信用のファクシミリモデムの機能を有する。また、モデム１３は、ＮＣＵ１５と直接に接続されている。ＮＣＵ１５は、公衆電話回線１７を閉結及び開放する機能の他に、通信する相手方の電話番号に応じたダイヤルパルスを送出する機能及び着信を検出する機能を有する。また、ＮＣＵ１５は、モデム１３を必要に応じて公衆電話回線１７に接続する。
【００１７】
ＲＯＭ１９は、フラッシュメモリ等により実現されており、画像処理装置１の動作に必要なソフトウェアを記憶している。ＲＡＭ２１は、ＳＲＡＭ(Static Random Access Memory)、ＤＲＡＭ(Dynamic Random Access Memory)等により実現されている。ＲＡＭ２１は、ソフトウェアの実行時に発生するデータの一時的な記憶及びアプリケーションソフトの記憶等に利用される。
【００１８】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。画像処理装置１ではファクシミリの送信予約情報や通信履歴に、通信対象となる画像を含めている。この画像を形成するのにハードディスク２５に記憶されている上記画像データを利用する。
【００１９】
コーデック２７は、画像データを符号化圧縮すると共に符号化圧縮されている画像データを復号する。ＬＡＮインターフェース２９は、画像処理装置１がＬＡＮ３１と通信可能に接続するインターフェースである。
【００２０】
画像処理装置１は、さらにシリアルバス３５を介してＭＰＵ３と接続されている音声部３７を備える。音声部３７では、画像処理装置１の操作に関する音声ガイダンス及び画像処理装置１での異常発生（エラー、紙詰まり、トナー切れ等発生）の報知が実行される。
【００２１】
図２は、音声部３７の構成を示すブロック図である。音声部３７は、サブＭＰＵ３９、ＲＯＭ４１、ＲＡＭ４３、音声デコーダ４５、ＡＦＥ(Analog Front End)４７、スイッチ４９等が相互にバス５１で接続された構成を有する。さらに、音声部３７は、アナログ増幅器５３及びこれに接続された第１のスピーカ５５並びにアナログ増幅器５７及びこれに接続された第２のスピーカ５９を備える。
【００２２】
サブＭＰＵ３は、シリアルバス３５を介してＭＰＵ３と接続されており、音声部３７を構成する上記ハードウェアを制御する。
【００２３】
ＲＯＭ４１は、上記異常発生の報知用及び音声ガイダンス用の制御プログラム並びに異常発生の報知用及び音声ガイダンス用のメッセージを記憶する。ＲＡＭ４３はＳＲＡＭ等により実現され、上記制御プログラムの実行時に発生する一時的なデータを記憶する。
【００２４】
音声デコーダ４５は、ＲＯＭ４１から読み出された符号化されているメッセージを音声波形のデータに復号する。ＡＦＥ４７は、音声波形のデータをアナログ信号に変換する。スイッチ４９は、アナログ信号をアナログ増幅器５３へ送るのか又はアナログ増幅器５７へ送るのかを切り替える。スイッチ４９としては、例えばＭＯＳＦＥＴ(metal oxide semiconductor field effect transistor)を用いることができる。
【００２５】
スイッチ４９を通りアナログ増幅器５３に送られたアナログ信号は、そこで増幅されて第１のスピーカ５５から出力される。一方、アナログ増幅器５７に送られたアナログ信号は、そこで増幅されて第２のスピーカ５９から出力される。第１のスピーカ５５を使用する場合と第２のスピーカ５９を使用する場合が予め分けられている。
【００２６】
第１のスピーカ５５は、画像処理装置１に異常が発生した時にそれを報知するのに使用される。エラーメッセージ（例えば「紙詰まりが発生しました」）及び／又はエラー音によって、異常の発生が報知される。画像処理装置１の近くにいる者にも異常の発生を報知できるようにする必要がある。したがって、第１のスピーカ５５は、無指向性のスピーカ又は第２のスピーカ５９より指向性が弱いスピーカであり、画像処理装置１のキャビネットの側面（図示せず）に取り付けられている。
【００２７】
これに対して第２のスピーカ５９は、音声ガイダンスをする場合に使用される。音声ガイダンスの対象となる作業を操作者が行う時、その作業の仕方について画像処理装置１は第２のスピーカ５９を使用して音声ガイダンスをする。音声ガイダンスの対象となる作業としては、例えば、画像処理装置１の各種設定（ファクシミリの画質、両面コピー等）、各種登録（ワンタッチキーの登録、Ｆコード登録等）、各種エラーへの対処（紙詰まりへの対処等）が挙げられる。
【００２８】
第２のスピーカ５９は、第１のスピーカ５５より指向性が強いスピーカであり、後で説明する操作パネルに設けられる。これにより、音声ガイダンスを画像処理装置１の操作者にはよく聞こえるようにすると共に、画像処理装置１の近くにいる者には聞こえにくく又は聞こえないようにしている。
【００２９】
以上のように、本実施形態に係る画像処理装置１は、予め分けられた第１のスピーカ５５を使用する場合（異常発生の報知をする場合）と第２のスピーカ５９を使用する場合（音声ガイダンスをする場合）に応じて、第１のスピーカ５５を使用するか又は第２のスピーカ５９を使用するかを選択する。この選択を実行するスピーカ選択部は、サブＭＰＵ３９、ＲＯＭ４１、ＲＡＭ４３及びスイッチ４９により構成される。
【００３０】
図３は、本実施形態に係る画像処理装置１に備えられる操作パネル６１の平面図である。操作パネル６１は、図１の表示部９及び操作部１１として機能する。操作パネル６１は、タッチパネル６３、各種のハードキー（モード選択キー６５、テンキー６７、スタートキー６９、クリアキー７１、割込みキー７３、リセットキー７５等）及び第２のスピーカ５９を備える。各キーは、通常の複合機に備えられるそれらの名称のキーと同様の目的で使用される。例えば、「ファクシミリ」のモード選択キー６５を押すことにより、画像処理装置１をファクシミリモードに切り替えることができる。
【００３１】
指向性の強い第２のスピーカ５９は、操作パネル６１上に設けられている。これにより、第２のスピーカ５９から出力される音声ガイダンスを、画像処理装置１の操作者には聞こえやすくできると共に画像処理装置１の近くにいる者には聞こえにくく又は聞こえないようにすることができる。
【００３２】
第２のスピーカ５９の操作パネル６１上の位置は、タッチパネル６３の周囲が好ましい。なぜなら、操作者は、通常、タッチパネル６３に顔を向けて操作するので、第２のスピーカ５９をタッチパネル６３の周囲に設ければ、小さい音量でも第２のスピーカ５９からの音声ガイダンスを聞き取ることができるからである。本実施形態では、操作パネル６１のキーのレイアウトを考慮して、タッチパネル６３の周囲のうち、操作パネル６１上においてタッチパネル６３の位置より上の位置に、第２のスピーカ５９を設けている。
【００３３】
本実施形態の主な効果を説明する。画像処理装置１によれば、第１のスピーカ５５を使用する場合（異常発生を報知する場合）とこれよりも指向性が強い第２のスピーカ５９を使用する場合（音声ガイダンスをする場合）が予め分けられており、それらの場合に応じて使用するスピーカを選択している。したがって、音声ガイダンスをする場合、操作者にはよく聞こえるようにできると共に画像処理装置１の近くにいる者には聞こえにくく又は聞こえないようにすることができる。一方、異常発生を報知する場合、画像処理装置１の近くにいる者にもよく聞こえるようにすることができる。
【００３４】
以上のように、本実施形態では第１のスピーカ５５とこれよりも指向性が強い第２のスピーカ５９の使用を使い分けることにより、画像処理装置１のスピーカからの音について、画像処理装置１の操作者及びこの装置の近くにいる者のいずれにも配慮することができる。
【００３５】
本実施形態において、画像処理装置１の操作者が画像処理装置１を操作する位置に応じて、操作パネル６１の角度を変更できるようにしてもよい。図４は、角度変更の可能な操作パネル６１を横から見た図である。
【００３６】
操作パネル６１の位置は、通常、水平位置８１にある。しかし、車椅子に乗っている操作者にとって、操作パネル６１の位置が水平位置８１では操作パネル６１（特にタッチパネル６３）が見えにくい。そこで、操作パネル６１の角度を変えて、斜め位置８３に操作パネル６１が位置できるようにし、車椅子に乗っている操作者に対して操作パネル６１が正面を向くようにしている。これにより、車椅子に乗っている操作者の方へ第２のスピーカ５９を向かせることができるので、上記操作者に第２のスピーカ５９からの音を聞こえやすくすることができる。
【００３７】
本実施形態では、第１のスピーカ５５を使用して異常発生の報知をする例で説明したが、異常発生の報知について、第１のスピーカ５５と第２のスピーカ５９を使い分ける態様でもよい。この態様には、例えば、次の四つの態様がある。
【００３８】
（態様１）
画像処理装置１の操作者を検知できるセンサ（例えば赤外線センサ）を画像処理装置１に設ける。このセンサが非検知の状態であれば、操作者がいないと見なして、異常発生の報知は第１のスピーカ５５を使用し、画像処理装置１の近くにいる者に異常発生の報知をする。これに対して、センサが検知の状態であれば、操作者がいると見なして、異常発生の報知は第２のスピーカ５９を使用し、操作者に異常発生の報知をする。
【００３９】
（態様２）
操作パネル６１のキーが操作中ではなく、又はキーが操作されないで所定時間経過すれば、操作者がいないと見なして、異常発生の報知は第１のスピーカ５５を使用する。これに対して、操作パネル６１のキーが操作中であり、又はキーを操作してから所定時間が経過していなければ、操作者がいると見なして、第２のスピーカ５９を使用する。
【００４０】
（態様３）
まず、第２のスピーカ５９を使用して異常発生の報知をする。所定回数の報知をしても異常原因が解消されない場合、第１のスピーカ５５を使用し、画像処理装置１の近くにいる者に異常発生の報知をする。
【００４１】
（態様４）
プリンタ、ファクシミリ受信の時に異常が発生した場合、画像処理装置１の操作者がいないと見なして、第１のスピーカ５５で異常発生の報知をする。これに対して、コピー、スキャナ、ファクシミリ送信の時に異常が発生した場合、操作者がいると見なして、第２のスピーカ５９を使用して異常発生の報知をする。
【００４２】
本実施形態において、画像処理装置１で電話をする場合、第２のスピーカ５９をモニタースピーカにする。これにより、画像処理装置１の近くにいる者に対して、モニタースピーカからの音が聞こえにくく又は聞こえないようにすることができる。
【００４３】
本実施形態は、画像処理装置１として複合機を例に説明した。本発明に適用できる画像処理装置としては、例えばファクシミリ専用機、コピー専用機、スキャナ専用機、プリンタ専用機でもよい。
【図面の簡単な説明】
【００４４】
【図１】本実施形態に係る画像処理装置１の構成を示すブロック図である。
【図２】画像処理装置１に備えられる音声部３７の構成を示すブロック図である。
【図３】画像処理装置１に備えられる操作パネル６１の平面図である。
【図４】角度変更の可能な操作パネル６１を横から見た図である。
【符号の説明】
【００４５】
１・・・画像処理装置、３・・・ＭＰＵ、５・・・画像読取部、７・・・画像記録部、９・・・表示部、１１・・・操作部、１３・・・モデム、１５・・・ＮＣＵ、１７・・・公衆電話回線、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・バス、３５・・・シリアルバス、３７・・・音声部、３９・・・サブＭＰＵ、４１・・・ＲＯＭ、４３・・・ＲＡＭ、４５・・・音声デコーダ、４７・・・ＡＦＥ、４９・・・スイッチ、５１・・・バス、５３・・・アナログ増幅器、５５・・・第１のスピーカ、５７・・・アナログ増幅器、５９・・・第２のスピーカ、６１・・・操作パネル、６３・・・タッチパネル、６５・・・モード選択キー、６７・・・テンキー、６９・・・スタートキー、７１・・・クリアキー、７３・・・割込みキー、７５・・・リセットキー、８１・・・水平位置、８３・・・斜め位置
【図１】
2009188591.tif 000003
【図２】
2009188591.tif 000004
【図３】
2009188591.tif 000005
【図４】
2009188591.tif 000006